(57)【特許請求の範囲】
【請求項１】
シャッター開閉用開口の両側に起立配置され、上部にパネル収納ボックスを有する左右一対のガイドレールと、これらのガイドレール間を昇降開閉する複数のパネルと、該パネルの両側に軸支された吊下げ用ローラと、上記パネル相互をそれぞれの両側方で連繋しているローラチェーンと、上記パネル収納ボックス内に配置されて上記ローラチェーンを噛合させたパネル駆動系のスプロケットと、該スプロケットをパネル収納方向側に通過する際のパネルの前記吊下げ用ローラを転動走行可能に支承する収納レールとを備えたパネルシャッターにおいて、上記スプロケットの外周に沿った円弧縁部を有して該スプロケットの近傍周辺部に配置され、該スプロケットに対するローラチェーンの不規則噛合時にそのスプロケットの歯先部から外方に膨らむ上記ローラチェーンで押動されて弾性変形するチェーン押え板と、このチェーン押え板の近傍に配置され、該チェーン押え板の上記弾性変形により押動されてスプロケット駆動系の電源回路を遮断する安全スイッチとを備えたことを特徴とするパネルシャッターの安全装置。
【請求項２】  シャッター開閉用開口の両側に起立配置され、上部にパネル収納ボックスを有する左右一対のガイドレールと、これらのガイドレール間を昇降開閉する複数のパネルと、該パネルの両側に軸支された吊下げ用ローラと、上記パネル相互をそれぞれの両側方で連繋しているローラチェーンと、上記パネル収納ボックス内に配置されて上記ローラチェーンを噛合させたパネル駆動系のスプロケットと、該スプロケットをパネル収納方向側に通過する際のパネルの前記吊下げ用ローラを転動走行可能に支承する収納レールとを備えたパネルシャッターにおいて、上記スプロケットの外周域におけるローラチェーンの移動経路外側に離間配置されたチェーン押え部材と、これらのチェーン押え部材の間に配置され、該チェーン押え部材の間で上記スプロケットの歯先部から外方に膨らむローラチェーンで押動されてスプロケット駆動系の電源回路を遮断する安全スイッチとを備えたことを特徴とするパネルシャッターの安全装置。
【発明の詳細な説明】
【０００１】
【発明の属する技術分野】
この発明は、建物のシャッター開閉用開口を昇降開閉するパネルシャッターの安全装置に関する。
【０００２】
【従来の技術】
図１２は従来のパネルシャッターを示す概略的な正面図、図１３は図１２の概略的な縦断側面図であり、図において、１は建物の出入口や窓等のシャッター開閉用開口の両側に起立配置された左右一対のガイドレールであり、その上部にはパネル収納ボックス（以下、単に収納ボックスという）２が配置されている。
【０００３】
３は上記ガイドレール１間を昇降開閉する複数のパネルであり、該パネル３のそれぞれの上部両側には吊下げ用ローラ４が回転自在に軸支され、該吊下げ用ローラ４のローラ軸（ロングピン）Ｐを介して上記パネル３の相互がそれぞれの両側方でローラチェーン５によって一連に連繋されている。
【０００４】
６は収納ボックス２内におけるガイドレール１の上端部近傍に配置されたパネル駆動系のスプロケットであり、このスプロケット６に上記ローラチェーン５が一定のピッチで規則的に噛合している。
【０００５】
７は収納ボックス２内に配置された収納レールであり、この収納レール７は、上記スプロケット６をパネル収納方向に通過したパネル３の吊下げ用ローラ４を転動走行可能に支承するようになっている。
【０００６】
８は各パネル３の両側下部に軸支された下部ガイドローラ、９は収納ボックス２内のパネル出入口近傍に配置されたパネルガイドであり、このパネルガイド９は下部ガイドローラ８を所定のパネル移動方向に誘導するようになっている。
【０００７】
以上において、上記一連のパネル３は、上記スプロケット６の正逆回転駆動によるチェーン５の送り作動によって、上記ガイドレール１に沿った直列姿勢の縦移動と、上記収納レール７に沿った並列姿勢の横移動とに継送されるようになっている。
【０００８】
【発明が解決しようとする課題】
従来のパネルシャッターは以上のように構成されているので、スプロケット６に対してローラチェーン５が規則的に正しく噛合している状態では、スプロケット６の正逆回動によるローラチェーン５の送り作動でパネル３の正常な動作が行われるが、該パネル動作時における上記スプロケット６のチェーン噛合領域でローラチェーン５の歯飛び現象が生じたり、また、パネルの収納動作時において、ガイドレール１間を上昇する上位パネル３の下部ガイドローラ８がパネルガイド９で誘導されずに上位パネル３がそのまま下位パネル３で押し上げられると、上記ローラチェーン５がスプロケット６の歯先部から外方に膨らむなどして、該スプロケット６に対するローラチェーン５の噛合状態が不規則になる。このようなローラチェーン５の歯飛び現象や膨らみ現象が生じた場合にあっても、パネル駆動系統はそのまま作動を継続することによって、該パネル駆動系統を含むシャッター構成要素の故障や破損および事故等を誘発するという課題があった。
【０００９】
この発明は上記のような課題を解決するためになされたものであり、パネル駆動系スプロケットの外周域でチェーンの歯飛び現象や膨らみ現象等の不規則噛合状態が発生した際にパネル駆動系統を即刻自動停止させて、該パネル駆動系統を含むシャッター構成要素の故障や破損、事故等を未然に防止でき、安全性向上に大きく寄与するパネルシャッターの安全装置を提供することを目的とする。
【００１０】
【課題を解決するための手段】
この発明に係るパネルシャッターの安全装置は、左右一対のガイドレール間を昇降開閉する複数のパネルをそれぞれの両側方で連繋しているローラチェーンが噛合するパネル駆動系のスプロケットの外周に沿った円弧縁部を有して該スプロケットの近傍周辺部に配置され、該スプロケットに対するローラチェーンの不規則噛合時にそのスプロケットの歯先部から外方に膨らむ上記ローラチェーンで押動されて弾性変形するチェーン押え板と、このチェーン押え板の近傍に配置され、該チェーン押え板の上記弾性変形により押動されてスプロケット駆動系の電源回路を遮断する安全スイッチとを備えたものである。
また、この発明に係るパネルシャッターの安全装置は、左右一対のガイドレール間を昇降開閉する複数のパネルをそれぞれの両側方で連繋しているローラチェーンが噛合するパネル駆動系のスプロケットの外周域におけるローラチェーンの移動経路外側に離間配置されたチェーン押え部材と、これらのチェーン押え板の間に配置され、該チェーン押え部材の間で上記スプロケットの歯先部から外方に膨らむローラチェーンで押動されてスプロケット駆動系の電源回路を遮断する安全スイッチとを備えたものである。
【００１１】
【発明の実施の形態】
以下、この発明の実施の一形態を説明する。
実施の形態１．
図１はこの発明の実施の形態１によるパネルシャッターの収納ボックス部分を示す内部構成図、図２は図１におけるパネル駆動系スプロケット付近の拡大図、図３は図１のＡ−Ａ線に沿った拡大断面図、図４はパネルの平面図、図５は図１および図２におけるチェーン押え板の側面図、図６は図５を右側から見た端面図であり、図１２および図１３と同一または相当部分には同一符号を付して重複説明を省略する。
【００１２】
図１において、１０はシャッター部品取付用のブラケットであり、このブラケット１０は、一対のサイドブラケット１１，１２と、該サイドブラケット１１，１２の相互間に横架された上下の補強横材１３，１４と、前記両サイドブラケット１１，１２の相互間で前記上下の補強横材１３，１４に跨設された中間ブラケット１５，１６とをボルト締めして組み立てられた構成となっている。
【００１３】
このような組立構成のブラケット１０は、図１２の収納ボックス２の左右両側に配置またはその左右両側壁部を形成するもので、前記一方のサイドブラケット１１には、図１２および図１３に示すガイドレール１の上端に接続される縦ガイドレール１ａと、この縦ガイドレール１ａの上端部近傍に位置するパネル駆動系のスプロケット６と、該スプロケット６の下方に位置するパネルガイド９と、前記スプロケット６の近傍周辺部に位置するチェーン押え板１７，チェーン誘導板１８，チェーン弛み感知用スイッチＬＳ２とが配置され、それらが予めユニット化された構成となっている。
【００１４】
また、前記他方のサイドブラケット１２には、開閉機（モータ）２０と中間伝動スプロケット２１が予めユニット化状態に取付けられている。
【００１５】
ここで、パネル駆動系のスプロケット６および中間伝動スプロケット２１のそれぞれは２段スプロケット構成となっており、開閉機２０の出力スプロケット（図示せず）と中間伝動スプロケット２１との間には伝動チェーンが巻回され、且つ中間伝動スプロケット２１と前記スプロケット６に同軸上の入力スプロケット（図示せず）との間にも伝動チェーンが巻回され、開閉機２０の回転駆動力を前記スプロケット６に伝達するようになっている。
【００１６】
そして、前記両サイドブラケット１１，１２間には、前記上部補強横材１３の下方に位置するレール支持部材２３と、前記下部補強横材１４の上方に位置する横ガイドレール２４とが横架されている。
【００１７】
前記レール支持部材２３と横ガイドレール２４とは互いに平行して水平方向に延びており、レール支持部材２３上には収納レール７が配置されている。
【００１８】
この収納レール７は、図３に示すようにブラケット１０の内壁面よりも内側に離れた配置となっていて、当該収納レール７上から吊下げ用ローラ４が離脱するのを防止するための抜止め片部７ａを有している。なお、この抜止め片部７ａは収納レール７に一体折曲形成されたものであってもよい。
【００１９】
また、前記横ガイドレール２４はパネルガイド９に接続されてその下面２４ａ（図１参照）で下部ガイドローラ８を所定のパネル移動方向に誘導するようになっている。
【００２０】
さらに、前記上部補強横材１３のフランジ部には、前記収納レール７の上方でこれに平行するチェーン先端誘導棒２５を支持させており、このチェーン先端誘導棒２５には、前記スプロケット６に噛合してパネル収納方向側に延びるローラチェーン５の自由端部を移動自在に係留させている。
【００２１】
次に、前記チェーン押え板１７について説明する。このチェーン押え板１７はパネル駆動系のスプロケット６からローラチェーン５が外れるのを防止するためのもので、図５，図６に示すように、ブラケット取付用の垂直片部１７ａと、該垂直片部１７ａの下端から直角方向に屈曲する水平片部１７ｂと、この水平片部１７ｂの先端から下方に直角に屈曲する押え片部１７ｃとを有する弾性変形可能な金属板等の弾性板材からなって、上記押え片部１７ｃには上記スプロケット６の外周に沿った円弧縁部１７ｄが形成され、前記垂直片部１７ａをサイドブラケット１１にボルト締め等の手段で固着している。
【００２２】
そして、チェーン押え板１７の水平片部１７ｂの近傍上方には、リミットスイッチからなる第１の安全スイッチＬＳ４，ＬＳ５（図１，図２および図５，図６では片方のＬＳ４のみを示す）が配置されている。
【００２３】
その第１の安全スイッチＬＳ４は、チェーン押え板１７の上方でサイドブラケット１１に止着されたスイッチ支持部材２６の先端垂下片部に取付けられ、該取付状態において、安全スイッチＬＳ４が有する可動接片ＬＳ４’の先端を前記チェーン押え板１７の水平片部１７ｂ上に当接させている。
【００２４】
かかる第１の安全スイッチＬＳ４は、スプロケット６の歯先部からローラチェーン５が膨らんだ際に前記スプロケット６を自動停止させるためのもので、前記ローラチェーン５の膨らみで前記チェーン押え板１７の水平片部１７ｂが図６の点線で示すように押し上げ変形されることにより、可動接片ＬＳ４’が押動されて開閉機２０の電源回路を遮断する常閉接点構成となっている。
【００２５】
図７は図１における収納レールのパネル移送終端側の要部を示す拡大構成説明図、図８は図１および図７のＢ線矢視図、図９は図１および図７のＣ線矢視図であり、図１および図７〜図９において、ＬＳ６は収納レール７のパネル移送終端側に配置された第２の安全スイッチである。
【００２６】
この第２の安全スイッチＬＳ６は、収納レール７に沿ってパネル収納方向に移動するパネル３間のローラチェーン５が異常屈曲してパネル３相互の整列間隔が拡大した際にスプロケット６を自動停止させるためのもので、前記他方のサイドブラケット１２に対しスイッチ取付プレート２７を介してユニット化状態に取付けられた常閉型のリミットスイッチからなっている。
【００２７】
かかる第２の安全スイッチＬＳ６は、収納レール７に沿って移動する先頭のパネル３に収納方向の過負荷が生じた際にのみ該先頭のパネル３で押動されるアクチュエータ３０を備えている。
【００２８】
このアクチュエータ３０は、前記スイッチ取付プレート２７の折曲片部２７ａに貫通固着されたボビン状の軸受部材３１と、この軸受部材３１に軸方向へ移動自在に貫通支承させたスイッチ開閉用のシャフト３２と、このシャフト３２を安全スイッチＬＳ６とは反対側（図７，図８において先頭のパネル３側）に付勢するスプリング３３とを備えた構成となっている。
【００２９】
このようなアクチュエータ３０において、軸受部材３１から安全スイッチＬＳ６側に突出するシャフト３２の端部には安全スイッチＬＳ６の可動接片ＬＳ６’を当接させている。
【００３０】
その当接状態では、前記シャフト３２が安全スイッチＬＳ６とは反対側に付勢されていることにより、該安全スイッチＬＳ６は開閉機２０の電源回路を閉成したオフ状態に保持されている。
【００３１】
ここで、収納レール７に沿って収納方向に移動するパネル３間のローラチェーン５が規則的に正しくＵ字状に垂下してパネル３の整列間隔が一定間隔に保持されている限りは、収納方向に移動する先頭のパネル３には収納方向の過負荷が生じないので、この場合は、その先頭のパネル３が前記シャフト３２に当接しても該シャフト３２が安全スイッチＬＳ６をオンしないようにスプリング３３のバネ定数が設定されている。
【００３２】
従って、前記スプリング３３は、先頭のパネル３に収納方向の過負荷が生じた際にのみ該パネル３で前記シャフト３２を安全スイッチＬＳ６のオン方向に押動させることができるバネ定数に設定されている。
【００３３】
なお、アクチュエータ３０は上記構成のものに限定されず、収納レール７に沿って収納方向に移動する先頭のパネル３に過負荷が生じた際にのみ該パネル３で安全スイッチＬＳ６をオンする方向に押動されるものであれば、如何なる構成のものであってもよい。
【００３４】
図１０はこの発明の実施の形態１によるパネル昇降駆動系統の電源回路を示す回路図であり、同図に示す電源回路Ｋは、３相３線式の電源に対して開閉機２０のスイッチ系統を開閉する回路構成となっている。
【００３５】
図１０において、ＯＭおよびＣＭは開閉機２０の３相（Ｒ相，Ｓ相，Ｔ相）配線系統に接続された電磁接触器、ＢＣは電磁ブレーキであり、この電磁ブレーキＢＣは整流器ＲＦおよびカウンターＣＯを介して電磁接触器ＯＭ，ＣＭに接続されている。
【００３６】
ＰＢＳは開閉機２０の操作スイッチであり、この操作スイッチＰＢＳは、開閉機停止用接点ＳＷ１とパネル上昇用接点ＳＷ２とパネル下降用接点ＳＷ３とを備えたスイッチ構成となっている。
【００３７】
ＬＳ１はパネル開閉位置検知用のスイッチで、パネル上昇動作時に最下位パネルが所定の高さ位置（例えば、図１２の収納ボックス２のマグサ位置）まで上昇した時点でその最下位パネルによりオンされて開閉機２０を自動停止させる上限リミットスイッチと、パネル下降動作時の最下位パネルが接地した時点でオンされて開閉機２０を自動停止させる下限リミットスイッチとから成っている。
【００３８】
ＬＳ２，ＬＳ３は左右の縦ガイドレール１ａのそれぞれに対応したチェーン弛み感知用のスイッチ、ＬＳ４，ＬＳ５は左右のスプロケット６のそれぞれに対応した上記第１（チェーン押え歪み感知用）の安全スイッチ、ＬＳ６，ＬＳ７は左右の収納レール７のそれぞれに対応した上記第２（パネル収納間隔検知用）の安全スイッチであり、これらのスイッチＬＳ２〜ＬＳ７および上記パネル開閉位置検知用のスイッチＬＳ１は上記操作スイッチＰＢＳに対して直列に接続されている。
【００３９】
次に動作について説明する。シャッター全閉状態において、操作スイッチＰＢＳをパネル上昇側にオンすると、パネル上昇側接点ＳＷ２が閉じて開閉機２０がパネル上昇方向に回転起動し、その回転駆動力がパネル駆動系のスプロケット６に伝達されることにより、該スプロケット６に噛合したローラチェーン５を介して図１に示す左右ガイドレール１間のパネル３が上昇動作する。
【００４０】
その上昇動作過程において、スプロケット６の軸心を通る水平線の下方におけるチェーン弛み感知用スイッチＬＳ２，ＬＳ３の対応領域でローラチェーン５が詰まったり折り重なったりすると、その部分のローラチェーン５で前記チェーン弛み感知用スイッチＬＳ２，ＬＳ３が押動される。これにより、開閉機２０の電源回路Ｋが遮断されて開閉機２０が自動停止する。
【００４１】
また、上記パネル３の上昇動作過程において、スプロケット６に対するローラチェーン５の歯飛び現象等が生じると、該ローラチェーン５がスプロケット６の歯先部から膨らむ。この場合、そのローラチェーン５の膨らみ部でチェーン押え板１７が図６に点線で示すように押し上げられて変形する。
【００４２】
さらには、縦ガイドレール１ａに沿って上昇するパネル３の上端部がスプロケット６の外周に沿ってパネル収納方向に移動する際、本来ならば、そのパネル３の下部ガイドローラ８がパネルガイド９でパネル収納方向に誘導されるが、その誘導が行われずに前記パネル３がそのまま下位パネルで押し上げられると、この場合にあっても前記チェーン押え板１７は上述の如く変形する。
【００４３】
このようにチェーン押え板１７が変形する際には、そのチェーン押え板１７で安全スイッチＬＳ４（またはＬＳ５）が押動されて該安全スイッチＬＳ４（またはＬＳ５）の接点が開離することにより、開閉機２０の電源回路Ｋが遮断されて開閉機２０が自動停止する。
【００４４】
従って、スプロケット６に対するローラチェーン５の噛合状態が上述の如く不規則となって該ローラチェーン５がスプロケット６の歯先部から膨らんだ際には、その時点でパネル３の移動が自動停止する。
【００４５】
前記スプロケット６に対するローラチェーン５の噛合状態が規則的に正しく維持されている限りは、スプロケット６の回転駆動が継続されるため、該スプロケット６の回転によるローラチェーン５の送り動作によって、前記パネル３はスプロケット６から収納レール７に沿った横移動経路に継送される。
【００４６】
この場合、前記スプロケット６をパネル収納方向側に通過する際のパネル３の吊下げ用ローラ４が収納レール７上に転動自在に移行し、これと同様にして後続パネル３の吊下げ用ローラ４が収納レール７上に順次移行してくることにより、該収納レール７で吊持された状態となるパネル３は後続のパネルで順次収納方向側に押し動かされる。
【００４７】
このようにパネル３の収納動作が正常に行われている場合、収納レール７に沿ってパネル収納方向側に横移動するパネル３相互間のローラチェーン５は、通常図１３に示すようにＵ字状に正しく垂下する。
【００４８】
そして、収納レール７の移送終端部まで移送されてきた先頭のパネル３は、安全スイッチＬＳ６（またはＬＳ７）のアクチュエータ３０のスイッチ開閉用シャフト３２に当接する。
【００４９】
その当接時点において、収納レール７で吊持されたパネル３相互間の全てのローラチェーン５が上述の如くＵ字状に規則的に正しく垂下していれば、前記パネル３相互の整列間隔が所定の一定間隔に保持されるため、前記アクチュエータ３０のシャフト３２に当接した先頭のパネル３には、そのシャフト３２を付勢しているスプリング３３のバネ定数に打ち勝つような過負荷は作用しない。従って、この場合、アクチュエータ３０のシャフト３２に先頭のパネル３が当接しても、該パネル３で前記シャフト３２を介して安全スイッチＬＳ６（またはＬＳ７）が押動されるようなことはない。
【００５０】
このようにして、パネル３の収納動作が正常に行われ、図１２のガイドレール１間を上昇する最下位パネル３の下端部が収納ボックス２のマグサ部付近にまで到達すると、その最下位パネル３で図１０中のパネル開閉位置検知用スイッチＬＳ１が押動され、該スイッチＬＳ１の上限接点が開離することにより開閉機２０が自動停止してパネル収納動作が終了する。
【００５１】
以上は、収納レール７に沿って横移動するパネル３相互の整列間隔が一定に保持されていることにより、該パネル３の収納動作が正常に行われる場合であるが、その収納動作時において、上述の如く横移動するパネル３間のローラチェーン５はＵ字状に垂下せずにパネル３の整列間隔を拡げる方向に異常屈曲するような場合がある。
【００５２】
この場合にあっても、パネル３は整列間隔が拡がったままの状態で収納動作を継続するため、収納レール７の移送終端部にまで到達した先頭のパネル３はアクチュエータ３０のシャフト３２に当接する。その当接時点においても、後続のパネルの整列間隔が拡がったままの状態になっていると、前記シャフト３２に当接した先頭のパネル３が後続のパネルで更に押されることにより、その先頭のパネル３には前記スプリング３３のバネ定数に打ち勝つ過負荷が生じる。
【００５３】
その過負荷により先頭のパネル３はアクチュエータ３０のシャフト３２をスプリング３３に抗して押動し、そのシャフト３２が安全スイッチＬＳ６の可動接片ＬＳ６’を押動する。これにより、安全スイッチＬＳ６は接点が開離して開閉機２０の電源回路Ｋを遮断するので、開閉機２０は自動停止する。
【００５４】
従って、パネル収納動作時に収納レール７に沿って収納方向に移動するパネル３相互の整列間隔が拡がったままの状態で先頭のパネル３が収納レール７の移送終端部に到達した際には、その時点で開閉機２０およびパネル駆動系スプロケット６の駆動を即刻自動停止することができ、その駆動継続に起因した故障や破損および事故等を未然に防止できる。
【００５５】
以上の実施の形態１において、第２の安全スイッチＬＳ６，ＬＳ７は、収納レール７の移送終端側において、該収納レール７上を走行する吊下げ用ローラ４の軸心を通る水平線と略一致する配置とすることが好ましい。このような配置とすることによって、横振れの少なくパネル上部で安全スイッチＬＳ６，ＬＳ７を押すこととなるので、パネル３の横振れに起因した安全スイッチＬＳ６，ＬＳ７の誤動作を防止できる。
【００５６】
また、第１および第２の安全スイッチＬＳ４，ＬＳ５およびＬＳ６，ＬＳ７はオン時にアラームを作動させることも可能である。
【００５７】
さらに、収納レール７は水平レールおよび移送終端側が漸次下降する傾斜レールの何れであってもよく、傾斜レールの場合は、パネル３の整列間隔が拡がった際の先頭パネル３による過大押圧力でのみ安全スイッチＬＳ６，ＬＳ７がオンされるようにスプリング３３のバネ定数を設定しておけばよい。
【００５８】
実施の形態２．
図１１はこの発明の実施の形態２を示す概略的な構成説明図である。この実施の形態２では、上記実施の形態１におけるチェーン押え板１７をローラや丸棒等から成るチェーン押え部材１７Ａ、１７Ｂに置き換えて、これらのチェーン押え部材１７Ａ，１７Ｂをスプロケット６の外周域におけるローラチェーン５の移動経路外側に離間配置し、それらのチェーン押え部材１７Ａ，１７Ｂ間に安全スイッチＬＳ４，ＬＳ５（ＬＳ４のみを図示）を配置したものである。
【００５９】
この実施の形態２の場合にあっても、チェーン押え部材１７Ａ，１７の間でスプロケット６の歯先部から外方に膨らむローラチェーン５の膨らみを安全スイッチＬＳ４（またはＬＳ５）で検知できることにより、上記実施の形態１の場合と同様の作用効果を奏する。
【００６０】
【発明の効果】
以上のように、この発明によれば、パネル駆動系のスプロケットの外周に沿った円弧縁部を有して該スプロケットの近傍周辺部に配置され、該スプロケットに対するローラチェーンの不規則噛合時にそのスプロケットの歯先部から外方に膨らむ上記ローラチェーンで押動されて弾性変形するチェーン押え板と、このチェーン押え板の近傍に配置され、該チェーン押え板の上記弾性変形により押動されてスプロケット駆動系の電源回路を遮断する安全スイッチとを備える構成としたので、パネル駆動状態において、前記スプロケットの外周域近傍でローラチェーンの歯飛び現象や膨らみ現象等の不規則噛合状態が発生した際にパネル駆動系統を即刻自動停止させて、該パネル駆動系統を含むシャッター構成要素の故障や破損、事故等を未然に防止でき、安全性向上に大きく寄与する効果が得られる。
また、この発明によれば、パネル駆動系のスプロケットの外周域におけるローラチェーンの移動経路外側に離間配置されたチェーン押え部材と、これらのチェーン押え部材の間に配置され、該チェーン押え部材の間で上記スプロケットの歯先部から外方に膨らむローラチェーンで押動されてスプロケット駆動系の電源回路を遮断する安全スイッチとを備える構成としたので、パネル駆動状態において、前記スプロケットの外周域近傍でローラチェーンの歯飛び現象や膨らみ現象等の不規則噛合状態が発生した際にパネル駆動系統を即刻自動停止させて、該パネル駆動系統を含むシャッター構成要素の故障や破損、事故等を未然に防止でき、安全性向上に大きく寄与する効果が得られる。
【図面の簡単な説明】
【図１】この発明の実施の形態１によるパネルシャッターの収納ボックス部分を示す内部構成図である。
【図２】図１におけるパネル駆動系スプロケット付近の拡大図である。
【図３】図１のＡ−Ａ線に沿った拡大断面図である。
【図４】パネルの平面図である。
【図５】図１および図２におけるチェーン押え板の側面図である。
【図６】図５を右側から見た端面図である。
【図７】図１における収納レールのパネル移送終端側の要部を拡大構成説明図である。
【図８】図１および図７のＢ線矢視図である。
【図９】図１および図７のＣ線矢視図である。
【図１０】この発明の実施の形態１によるパネル昇降駆動系統の電源回路を示す回路図である。
【図１１】この発明の実施の形態２による概略的な構成説明図である。
【図１２】従来のパネルシャッターを示す概略的な正面図である。
【図１３】図１２の概略的な縦断側面図である。
【符号の説明】
１  ガイドレール
２  収納ボックス（パネル収納ボックス）
３  パネル
４  吊下げ用ローラ
５  ローラチェーン
６  パネル駆動系のスプロケット
７  収納レール
ＬＳ４，ＬＳ５  安全スイッチ
Ｋ  電源回路
【図１】
0003542417.tif 000002
【図２】
0003542417.tif 000003
【図３】
0003542417.tif 000004
【図４】
0003542417.tif 000005
【図５】
0003542417.tif 000006
【図６】
0003542417.tif 000007
【図７】
0003542417.tif 000008
【図８】
0003542417.tif 000009
【図９】
0003542417.tif 000010
【図１０】
0003542417.tif 000011
【図１１】
0003542417.tif 000012
【図１２】
0003542417.tif 000013
【図１３】
0003542417.tif 000014